(57)【要約】【目的】回転ベゼルなどの小型化が可能な操作子の操作状態と表示すべき情報を連動させることが可能となり、ユーザの使い勝手と操作感覚の向上を図る。【解決手段】回転ベゼル１３と、この回転ベゼル１３の操作状態を検出し、当該操作状態に対応する入力データに変換するデータ変換部として機能するセンサユニット３７Ａ、３７Ｂ、波形整形回路３８および回転情報生成ユニット３９と、情報を表示する表示パネル１２と、入力データと情報とを連動させて表示パネル１２に表示させるＭＰＵ３４と、を備える。【選択図】      図３
2005016962.tif 000002
【特許請求の範囲】
【請求項１】
操作子と、
前記操作子の操作状態を検出し、当該操作状態に対応する入力データに変換するデータ変換部と、
情報を表示する表示部を有し、
前記入力データと前記情報とを連動させて前記表示部に表示させる制御部と、
を備えたことを特徴とする時計。
【請求項２】
請求項１記載の時計において、
前記操作子は、回転操作が可能であり、
前記データ変換部は、前記操作子の回転量、回転方向あるいは回転速度のうち少なくともいずれか一つに対応する前記操作状態に基づいて前記入力データに変換することを特徴とする時計。
【請求項３】
請求項２記載の時計において、
前記操作子は、回転ベゼルあるいはリュウズとして構成されていることを特徴とする時計。
【請求項４】
請求項１ないし請求項３のいずれかに記載の時計において、
前記表示部は、前記情報をアナログ的に表示することを特徴とする時計。
【請求項５】
請求項１ないし請求項４のいずれかに記載の時計において、
前記制御部は、前記入力データに対応する入力値と前記情報に対応する情報値とを所定の連動比率で連動させて前記情報を表示させるとともに、前記操作状態に応じて前記連動比率を変化させることを特徴とする時計。
【請求項６】
請求項１ないし請求項５のいずれかに記載の時計において、
前記制御部は、前記入力データに基づいて当該時計の動作モードを変更することを特徴とする時計。
【請求項７】
操作子および情報を表示する表示部を備えた時計の制御方法において、
前記操作子の操作状態を検出し、当該操作状態に対応する入力データに変換するデータ変換過程と、
前記入力データと前記情報とを連動させて前記表示部に表示させる制御過程と、
を備えたことを特徴とする時計の制御方法。
【請求項８】
請求項７記載の時計の制御方法において、
前記操作子は、回転操作が可能であり、
前記データ変換過程は、前記操作子の回転量、回転方向あるいは回転速度のうち少なくともいずれか一つに対応する前記操作状態に基づいて前記入力データに変換することを特徴とする時計の制御方法。
【請求項９】
請求項７または請求項８記載の時計の制御方法において、
前記制御過程は、前記入力データに対応する入力値と前記情報に対応する情報値とを所定の連動比率で連動させて前記情報を前記表示部に表示させるとともに、前記操作状態に応じて前記連動比率を変化させることを特徴とする時計の制御方法。
【請求項１０】
請求項７ないし請求項９のいずれかに記載の時計の制御方法において、
前記制御過程は、前記入力データに基づいて当該時計の動作モードを変更することを特徴とする時計の制御方法。
【請求項１１】
操作子および情報を表示する表示部を備えた時計をコンピュータにより制御するための制御プログラムにおいて、
前記操作子の操作状態を検出させ、
当該操作状態に対応する入力データに変換させ、
前記入力データと前記情報とを連動させて前記表示部に表示させる、
ことを特徴とする制御プログラム。
【請求項１２】
請求項１１記載の制御プログラムを記録したことを特徴とするコンピュータ読取可能な記録媒体。
【発明の詳細な説明】
【０００１】
【発明の属する技術分野】
本発明は、時計、時計の制御方法、制御プログラムおよび記録媒体に係り、特に腕に装着して用いられる腕時計、腕時計の制御方法、制御プログラムおよび記録媒体に関する。
【０００２】
【従来の技術】
従来より現在時刻を表示する文字盤などの時刻表示部の周囲に、リング上の回転ベゼルが回転可能に設けられた腕時計が知られている。例えば、特許文献１には、このような時計が開示されている。
従来この種の回転ベゼルは、純粋にデザイン的なものであるかあるいはダイバーズ用ウオッチのように潜水時間をダイバーが把握するためのようにもっぱら実用的な観点から設けられていた。
しかるに近年においては、携帯型情報処理装置の小型化の欲求が高まり、腕時計型の情報処理装置が提案され、その入力装置として、例えば、特許文献２に示すように、回転ベゼルが用いられているものがある。
【０００３】
【特許文献１】
実開平５−９２７７９号公報
【特許文献２】
特開２００１−３４４０３９号公報
【０００４】
【発明が解決しようとする課題】
ところで、上記従来の回転ベゼルを用いた腕時計においては、回転ベゼルは、あくまで入力すべきデータを特定する入力データ特定装置として用いられているだけであり、連続的な状態を含む操作状態と表示する情報を連動させて表示制御を行うものではなかった。
そこで、本発明の目的は、回転ベゼルなどの小型化が可能な操作子の操作状態と表示すべき情報を連動させることが可能な時計、時計の制御方法、制御プログラムおよび記録媒体を提供することにある。
【０００５】
【課題を解決するための手段】
上記課題を解決するため、時計は、操作子と、前記操作子の操作状態を検出し、当該操作状態に対応する入力データに変換するデータ変換部と、情報を表示する表示部を有し、前記入力データと前記情報とを連動させて前記表示部に表示させる制御部と、を備えたことを特徴としている。
上記構成によれば、データ変換部は、操作子の操作状態を検出し、当該操作状態に対応する入力データに変換する。
これにより制御部は、入力データと情報とを連動させて表示部に表示させる。
この場合において、前記操作子は、回転操作が可能であり、前記データ変換部は、前記操作子の回転量、回転方向あるいは回転速度のうち少なくともいずれか一つに対応する前記操作状態に基づいて前記入力データに変換するようにしてもよい。
また、前記操作子は、回転ベゼルあるいはリュウズとして構成されているようにしてもよい。
【０００６】
さらに、前記表示部は、前記情報をアナログ的に表示するようにしてもよい。
さらにまた、前記制御部は、前記入力データに対応する入力値と前記情報に対応する情報値とを所定の連動比率で連動させて前記情報を表示させるとともに、前記操作状態に応じて前記連動比率を変化させるようにしてもよい。
また、前記制御部は、前記入力データに基づいて当該時計の動作モードを変更するようにしてもよい。
また、操作子および情報を表示する表示部を備えた時計の制御方法は、前記操作子の操作状態を検出し、当該操作状態に対応する入力データに変換するデータ変換過程と、前記入力データと前記情報とを連動させて前記表示部に表示させる制御過程と、を備えたことを特徴としている。
この場合において、前記操作子は、回転操作が可能であり、前記データ変換過程は、前記操作子の回転量、回転方向あるいは回転速度のうち少なくともいずれか一つに対応する前記操作状態に基づいて前記入力データに変換するようにしてもよい。
【０００７】
また、前記制御過程は、前記入力データに対応する入力値と前記情報に対応する情報値とを所定の連動比率で連動させて前記情報を前記表示部に表示させるとともに、前記操作状態に応じて前記連動比率を変化させるようにしてもよい。
さらに、前記制御過程は、前記入力データに基づいて当該時計の動作モードを変更するようにしてもよい。
また、操作子および情報を表示する表示部を備えた時計をコンピュータにより制御するための制御プログラムは、前記操作子の操作状態を検出させ、当該操作状態に対応する入力データに変換させ、前記入力データと前記情報とを連動させて前記表示部に表示させることを特徴としている。
また、この制御プログラムをコンピュータ読取可能な記録媒体に記録することも可能である。
【０００８】
【発明の実施の形態】
次に本発明の好適な実施の形態について図面を参照して説明する。
［１］第１実施形態
図１は、第１実施形態の腕時計の外観正面図である。
腕時計１０は、大別すると、ケース１１、表示パネル１２、回転ベゼル１３、バンド１４を備えている。
ケース１１は、金属あるいはプラスチックで構成されており、ケース本体および裏蓋を備えている。ケース１内には、後述するように、各種センサ、マイクロコンピュータなどが格納されている。
表示パネル１２は、たとえば、液晶ディスプレイ、有機ＥＬディスプレイなどのドットマトリクス方式の薄型ディスプレイで構成されている。
回転ベゼル１３は、ケース１１に回転可能に支持されている。
バンド１４は、ユーザが腕時計１０を身体（腕等）に装着するために用いられる。
【０００９】
図２は、第１実施形態の腕時計の部分断面図である。
腕時計１０の回転ベゼル１３の裏面には回転情報を得るための光学パターン４１が形成されている。一方、ケース１１を構成するケース本体１１Ａ内の回転ベゼル１３に対向する位置には、光学パターン４１に対応させたセンサユニット３７Ａ、３７Ｂが配置されており、センサユニット３７Ａ、３７Ｂの出力信号を処理することにより、回転ベゼル１３の回転方向、回転量、回転速度などを測定するようになっている。
ケース本体１１Ａの上方側には、指針、表示パネル１２を保護するための、カバーガラス１１Ｂが嵌め込まれている。また、ケース本体１１Ａの下方側には、裏蓋１１Ｃが嵌め込まれている。
【００１０】
図３は、腕時計の概要構成ブロック図である。
腕時計１０は、大別すると、発振回路３１、分周回路３２、時計用カウンタ３３、ＭＰＵ３４、ＲＯＭ３５、ＲＡＭ３６、表示パネル１２、回転ベゼル１３、センサユニット３７Ａ、３７Ｂ、波形整形回路３８、回転情報生成ユニット３９、入力部４０を備えている。
発振回路３１は、図示しない水晶発振器を備え、所定の基準周波数を有する基準発振信号を分周回路３２に出力する。
分周回路３２は、基準発振信号を分周して、例えば、１Ｈｚの計時用基準信号を生成し、時計用カウンタ３３に出力する。
時計用カウンタ３３は、計時用基準信号に基づいて時計表示用のカウント信号である計時用カウント信号をＭＰＵ３４に出力する。
ＭＰＵ３４は、所定の制御プログラムに基づいて表示パネル１２に各種表示を行ったり、腕時計１０全体の制御を行う。
【００１１】
ＲＯＭ３５は、腕時計１０を制御するための制御プログラムをあらかじめ格納している。
ＲＡＭ３６は、各種データを一時的に記憶する。
センサユニット３７Ａ、３７Ｂは、回転ベゼル１３に形成された光学パターン４１（図５参照）を読みとるべく設けられ、それぞれ光学パターンに対応するアナログ出力信号を波形整形回路３８に出力する。
波形整形回路３８は、複数の磁気センサ３７の出力信号の波形整形を行い、回転ベゼル１３の回転状態に応じた複数のパルス信号を回転情報生成ユニット３９に出力する。
回転情報生成ユニット３９は、波形整形回路３８の出力した複数のパルス信号をそれぞれカウントし、回転ベゼルの回転状態（回転量、回転方向、回転速度など）に対応する回転情報を生成し、回転情報データとしてＭＰＵ３４に出力する。
【００１２】
ここで、回転情報データの生成について詳細に説明する。
図４は、センサユニットの取り付け状態説明図である。
図４に示すように、ケース本体１１Ａには孔５１Ａ，５１Ｂが形成されており、この孔５１Ａ，５１Ｂ内に第１センサユニット３７Ａと、第２センサユニット３７Ｂとがそれぞれ配置されている。この場合において、第１センサユニット３７Ａと回転ベゼル１３の回転中心Ｏとを結ぶ線と、第２センサユニット３７Ｂと回転中心Ｏとを結ぶ線とが角度θ１をなすように第１センサユニット３７Ａおよび第２センサユニット３７Ｂがそれぞれ配置されている。なお、角度θ１については後述する。
【００１３】
図５は、光学パターンの説明図である。
図５に示すように、回転ベゼル１３の下面には光学パターン４１が形成されている。この光学パターン４１が形成された面の下方にはセンサカバーガラス４２がケース本体１１Ａに取り付けられている。このとき、ケース本体１１Ａとセンサカバーガラス４２の間にはパッキン４３が配設されており、これによりセンサカバーガラス４２の下部への水等の侵入を防止することができる。センサカバーガラス４２の下方には、第１センサユニット３７Ａが配設されている。第１センサユニット３７Ａは、ＬＥＤ（Ｌｉｇｈｔ  Ｅｍｉｔｔｉｎｇ  Ｄｉｏｄｅ）４４と、フォトダイオード４５と、ＬＥＤ４４とフォトダイオード４５との間に配置される遮光板４４ａと、基板４８とから構成されている。ＬＥＤ４４が光学パターン４１に向けて第１検出光Ｌ１を射出、照射し、その反射光をフォトダイオード４５が受光し、第１センサユニット３７Ａは、受光した第１検出光Ｌ１に基づいて第１検出信号Ａを生成する（図３参照）。
【００１４】
第２センサユニット３７Ｂは、第１センサユニット３７Ａと同様なＬＥＤとフォトダイオードと遮光板と基板とから構成されている。そして、ＬＥＤが光学パターン４１に向けて第２検出光Ｌ２を射出、照射し、その反射光をフォトダイオードが受光し、受光した第２検出光Ｌ２に基づいて第２検出信号Ｂを生成する（図３参照）。
第１センサユニット３７Ａの基板４８の下側には、接点バネ４９が設けられており、この接点バネ４９により第１センサユニット３７Ａ及び第２センサユニット３７Ｂと腕時計１０のＭＰＵ３４等が電気的に接続されている。なお、接点バネ４７の代わりにリード線を設けるようにしてもよい。このように第１センサユニット３７Ａの生成した第１検出信号Ａ及び第２センサユニット３７Ｂが生成した第２検出信号Ｂが波形整形回路３８を介して回転情報生成部に入力され、回転ベゼル１３の回転角度（回転量）および回転方向（必要に応じて回転速度）が測定される。
【００１５】
次に、光学パターン４１について説明する。
図５に示したように、回転ベゼル１３の下面の外周部には、円状の軌道に沿って、ＬＥＤ４４の照射する光を吸収する吸収領域４１ａとＬＥＤ４４の光を反射する反射領域４１ｂとが交互に繰り返し並んだ光学パターン４１が形成されている。このとき、吸収領域４１ａまたは反射領域４１ｂの中心から回転ベゼル１３の回転中心Ｏに至る線分とその領域に隣接する反射領域４１ｂまたは吸収領域４１ａの中心から回転中心Ｏに至る線分とがなす角度はいずれもθ２である。この場合において、上述した回転ベゼル１３の回転を３６０［゜］をｎ分割（ｎは偶数）して検出する場合には、θ２＝３６０／ｎ［゜］となる。
【００１６】
図６は、センサユニットの検出信号の説明図である。
第１センサユニット３７Ａは、使用者が回転ベゼル１３を回転させたときに、図５に示す光学パターン４１の吸収領域４１ａと反射領域４１ｂとを交互に読み取ることにより、図６に示すような略正弦波形を有する第１検出信号Ａを生成することができる。一方、第２センサユニット３７Ｂも同様に、略正弦波形を有する第２検出信号Ｂを生成することとなる。この場合において、第１検出信号Ａと第２検出信号Ｂの位相は、後に詳述するように、１／４波長だけずれるように吸収領域４１ａ及び反射領域４１ｂ並びに第１センサユニット３７Ａ及び第２センサユニット３７Ｂの配置が設定されている
【００１７】
次に、第１センサユニット３７Ａと第２センサユニット３７Ｂとの間の角度θ２について説明する。本実施形態では、θ１＝θ２＋θ２／２となるように第１センサユニット３７Ａおよび第２センサユニット３７Ｂが配置されている。これにより、回転ベゼル１３が使用者により回転させられた場合には、第１センサユニット３７Ａが生成する第１検出信号Ａと第２センサユニット３７Ｂが生成する第２検出信号Ｂに１／４の位相差が生じることになる。図６に示すように、回転ベゼル１３を時計回りに回転させた場合には、第２センサユニット３７Ｂの生成する第２検出信号Ｂに第１センサユニット３７Ａの生成する第１検出信号Ａより１／４の位相進みが生じる。また、回転ベゼル１３を反時計回りに回転させた場合には、第２センサユニット３７Ｂの生成する第２検出信号Ｂに第１センサユニット３７Ａの生成する第１検出信号Ａより１／４の位相遅れが生じることになる。このような位相遅れ・位相進みを検知することによって回転ベゼル１３の回転方向を検出することが可能となっている。
【００１８】
次に第１実施形態の動作を説明する。
以下の説明において、腕時計１０の動作モードとしては、時計モード、時刻修正モード、タイマモード、アラーム音量調整モードがある。それぞれの動作モードについては、後に詳述する。
また、初期状態において、腕時計１０の動作モードは、現在時刻などの時間情報を表示する時計モードにあるものとする。
図７は、第１実施形態の腕時計１０の概要動作フローチャートである。
まずＭＰＵ３４は、現在の動作モードを変更する動作（アクション）がなされたか否かを検出する（ステップＳ１）。
具体的には、現在の動作モードを変更する動作（アクション）の検出としては、回転ベゼル１３を所定速度よりも早く回転させる動作、回転ベゼル１３にマイクロスイッチ等を設けておき回転ベゼルを押す動作（あるいは引く動作）、カバーガラス１１Ｂに透明電極を設けておきカバーガラス１１Ｂに触れた動作を検出する等が挙げられる。
【００１９】
ステップＳ１の判別において、現在の動作モードを変更する動作が検出されなかった場合には（ステップＳ１；Ｎｏ）、ＭＰＵ３４は、現在の動作モード（この場合、時計モード）を継続することとなる。
ステップＳ１の判別において、現在の動作モードを変更する動作が検出された場合には（ステップＳ１；Ｙｅｓ）、ＭＰＵ３４は、検出された変更動作がいずれの動作モードに対応するものであるかを判別する（ステップＳ２）。
次にＭＰＵ３４は、動作モードを検出された変更動作に対応する動作モード（この場合、時刻修正モード、タイマモードあるいはアラーム音量調整モード）に動作モードを変更する（ステップＳ３）。
続いてＭＰＵ３４は、回転情報生成ユニット３９を介して現在の回転ベゼル１３の操作状態の測定を行う（ステップＳ４）。
【００２０】
具体的には、ＭＰＵ３４は、回転情報生成ユニット３９の出力データに基づいて回転ベゼル１３の回転方向および回転量（さらに必要に応じて回転速度）を間接的に測定することとなる。
続いてＭＰＵ３４は、現在の動作モードおよび現在の回転ベゼル１３の操作状態に基づいて、動作モード別に表示制御を行うこととなる（ステップＳ５）。
そして、ＭＰＵ３４は、操作が完了したか否かを操作が停止してからの経過時間、あるいは、他のスイッチなどの操作状態に基づいて判別し（ステップＳ６）、操作が完了していない場合には（ステップＳ６；Ｎｏ）、処理をステップＳ４に移行して同様に処理を行う。
また操作が完了したと判別された場合には（ステップＳ６；Ｙｅｓ）、それまでの操作状態に応じた各動作モード制御を行い、処理を終了する。
以下、具体的に動作モード別の動作について説明する。
【００２１】
［１．１］時刻修正モード
まず、変更後の動作モードが時刻修正モードである場合について説明する。図８は、時刻修正モード時の処理フローチャートである。また、図９は、時刻修正モード時の表示態様の変化の説明図である。
この場合において、腕時計１０の初期状態の表示は、表示状態ＳＴ１１に示すように、「１０時１０分」のアナログ指針表示がなされているものとする。
時刻修正モード時において、ＭＰＵ３４は、回転情報生成ユニット３９の出力データに基づいて回転ベゼル１３の回転方向が時計回り（第１の回転方向）か否かを判別する（ステップＳ１１）。
ステップＳ１１の判別において、回転ベゼル１３の回転方向が時計回りである場合には（ステップＳ１１；Ｙｅｓ）、回転量に応じて現在時刻を進める処理が行われる（ステップＳ１２）。
【００２２】
すなわち、例えば、表示状態ＳＴ１２に示すように、「１０時２２分」のアナログ指針表示がなされるように表示制御を行う。
ステップＳ１１の判別において、回転ベゼル１３の回転方向が反時計回り（第１の回転方向とは逆の第２の回転方向）である場合には（ステップＳ１１；Ｎｏ）、回転量に応じて現在時刻を遅らせる処理が行われる（ステップＳ１２）。
すなわち、例えば、「９時５７分」のアナログ指針表示がなされるように表示制御を行う。
以上の説明のように、時刻修正モードにおいては、回転ベゼル１３の回転方向とアナログ指針の修正状態とが感覚的に一致するので、使い勝手が良く、容易に修正が行える。
【００２３】
［１．２］タイマモード
次に変更後の動作モードがタイマモードである場合について説明する。図１０は、タイマモード時の処理フローチャートである。また、図１１は、タイマモード時の表示態様の変化の説明図である。
タイマモード時において、ＭＰＵ３４は、回転情報生成ユニット３９の出力データに基づいて回転ベゼル１３の回転方向が時計回りか否かを判別する（ステップＳ２１）。
ステップＳ２１の判別において、回転ベゼル１３の回転方向が時計回りである場合には（ステップＳ２１；Ｙｅｓ）、回転量に応じてタイマ設定時間を増加させる処理が行われる（ステップＳ２２）。
すなわち、回転ベゼル１３の回転量に応じて、表示しているタイマ設定時間を徐々に増加（タイマ設定時間を長く）するようにされ、例えば、初期状態が表示状態ＳＴ２１に示すように、タイマ設定時間が０分の状態から、表示状態ＳＴ２２で示すように、タイマ設定時間が１５分の状態となる。
【００２４】
ステップＳ２１の判別において、回転ベゼル１３の回転方向が反時計回りである場合には（ステップＳ２１；Ｎｏ）、回転量に応じてタイマ設定時間を減少させる処理が行われる（ステップＳ２３）。
すなわち、回転ベゼル１３の回転量に応じて、表示しているタイマ設定時間を徐々に減少（タイマ設定時間を短く）するようにされ、例えば、初期状態が表示状態ＳＴ２２に示すように、タイマ設定時間が１５分の状態から、表示状態ＳＴ２１で示すように、タイマ設定時間が０分の状態となる。
次にＭＰＵ３４は、タイマ設定時間の設定処理が終了したか否かを判別する（ステップＳ２４）。具体的には、回転ベゼル１３の操作が終了してから所定時間が経過したか否かを判別することとなる。
ステップＳ２４の判別において、タイマ設定時間の設定処理が終了していない場合には（ステップＳ２４；Ｎｏ）、再び処理をステップＳ２１に処理を移行し、以下同様の処理を行う。
【００２５】
ステップＳ２４の判別において、タイマ設定時間の設定処理が終了した場合には（ステップＳ２４；Ｙｅｓ）、タイマ減算動作を開始し、表示しているタイマ指針をタイマ設定時間＝０分となる側に駆動しているように表示する（ステップＳ２５）。
そしてタイマ設定時間が経過して、表示状態ＳＴ２３に示す状態となると、アラーム音を発生してタイマ設定時間が経過した旨を告知して処理を終了することとなる（ステップＳ２６）。
以上の説明のように、タイマモードにおいては、回転ベゼル１３の回転方向とタイマ設定時刻を表示するアナログ指針の設定状態とが感覚的に一致するので、使い勝手が良く、容易にタイマの設定の行うことができる。
【００２６】
［１．３］アラーム音量調整モード
次に変更後の動作モードがアラーム音量調整モードである場合について説明する。図１２は、アラーム音量調整モード時の処理フローチャートである。また、図１３は、アラーム音量調整モード時の表示態様の変化の説明図である。
この場合において、腕時計１０の初期状態の表示は、表示状態ＳＴ３１に示すように、例えば、５０段階あるアラームの音量レベルのうち音量レベルが「８」である旨のディジタル表示およびアナログ指針表示がなされているものとする。
アラーム音量調整モード時において、ＭＰＵ３４は、回転情報生成ユニット３９の出力データに基づいて回転ベゼル１３の回転方向が時計回り（第１の回転方向）か否かを判別する（ステップＳ３１）。
ステップＳ３１の判別において、回転ベゼル１３の回転方向が時計回りである場合には（ステップＳ３１；Ｙｅｓ）、回転量に応じてアラーム音量を増加する処理が行われる（ステップＳ３２）。
【００２７】
すなわち、例えば、表示状態ＳＴ３２に示すように、音量レベルが「４２」である旨のディジタル表示およびアナログ指針表示がなされ、実際のアラーム音量が増加する。
ステップＳ１１の判別において、回転ベゼル１３の回転方向が反時計回り（第１の回転方向とは逆の第２の回転方向）である場合には（ステップＳ３１；Ｎｏ）、回転量に応じてアラーム音量を減少する処理が行われる（ステップＳ３３）。
すなわち、例えば、初期状態が表示状態ＳＴ３２に示すように音量レベルが「４２」であった場合に、表示状態ＳＴ３１に示すように音量レベルが「８」である旨のディジタル表示およびアナログ指針表示がなされ、実際のアラーム音量が減少する。
【００２８】
以上の説明のように、アラーム音量調整モードにおいては、回転ベゼル１３の回転方向とアラーム音量とが、通常のボリューム操作を行うような感覚で行えるので、使い勝手が良く、容易に調整が行える。
以上の説明のように本第１実施形態によれば、回転ベゼルを操作子として用い、腕時計のデータ入力（データ修正、設定）に用いているので、腕時計のように小型化が優先される情報処理装置においても、操作性を犠牲にすることなく、装置の小型化に貢献させつつ、データの入力を容易とすることができる。
【００２９】
［２］第２実施形態
以上の第１実施形態においては、操作子として回転ベゼルを用いる場合を例として説明したが、操作子としてはこれに限られるものではない。本第２実施形態は、操作子として、リュウズを用いる場合の実施形態である。
図１４は、第２実施形態の腕時計の部分断面図である。
腕時計１０Ａには、リュウズ支持部７１に回転可能な状態で指示されたリュウズ７２が設けられている。
このリュウズ７２のケース本体１１Ａ内には、ロータリーエンコーダ７３を構成する透光溝が形成された円形パネル７３Ａが取り付けられている。そして、円形パネル７３Ａに対応する位置には、ＬＥＤおよびフォトディテクタが一体に配置され、ロータリーエンコーダ７３を構成する光センサユニット７３Ｂが配置されている。この光センサユニット７３Ｂは、第１実施形態におけるセンサユニット３７Ａ、３７Ｂと同様の機能を有しており、リュウズの回転にともなって、その回転方向、回転量、回転速度などを検出するようにされている。
この結果、本第２実施形態によれば、操作子としてリュウズ７２およびリュウズ７２の操作状態検出のためにロータリーエンコーダ７３を用いることにより、より微妙な操作を行える点を除き、第１実施形態と同様の効果を得ることができる。
【００３０】
［３］第３実施形態
以上の各実施形態においては、アナログ時計の表示を行う場合にも、表示パネル１２にアナログ指針を表示する場合について説明したが、本第３実施形態は、アナログ時計用ムーブメントを内蔵し、アナログ時計の背景側に表示パネル１２を配置するような構成とした場合の実施形態である。
図１５は、第３実施形態の腕時計の部分断面図である。
腕時計１０Ａは、アナログ時計のムーブメント８１が設けられており、指針８２の背景となる位置に表示パネル１２が配置されている。
また、ケース本体１１Ａの側面には、動作モードを切り換えるための切換スイッチ８５が設けられている。
【００３１】
さらに回転ベゼル１３Ｂのケース本体１１Ａに対向する面１１Ｅには、回転情報を得るための磁気パターン６１が形成されている。一方、ケース１１の面１１Ｅには、磁気パターン６１に対応させた複数の磁気センサユニット６２が、第１実施形態のセンサユニット３７Ａ、３７Ｂと同様に設けられており、磁気センサユニット６２の出力信号を処理することにより、回転ベゼル１３Ｂの回転方向、回転量、回転速度などを測定するようになっている。
そして、表示パネル１２には、アナログ時計における文字盤のデザインを変更するための表示を行わせたり、ディジタル時計の表示や各種情報の表示を行わせることができる。
これらの結果、本第３実施形態によれば、第１実施形態の効果に加えてアナログ時計の長所と、ディジタル時計の長所とをあわせ持たせることが可能となる。
【００３２】
［４］変形例
［４．１］第１変形例
以上の説明においては、入力データの例として、修正時刻データ、タイマ設定時刻データ、アラーム音量調整データについて説明したが、その他のアナログデータ、例えば、バックライト光量調整データ、カレンダ機構付の時計においては、カレンダ修正データ、カレンダ設定データなどを入力するように構成することも可能である。
【００３３】
［４．２］第２変形例
以上の説明においては、表示態様の変更に際し、操作子（回転ベゼルあるいはリュウズ）の回転量および回転方向に基づいて入力データを変更していたが、回転速度に基づいて、例えば、ある回転速度以上あるいはある回転速度以下の場合にのみ、操作子の操作量と入力データの変化量との連動比率を変化させるようにすることも可能である。
具体的には、操作子の回転速度がある回転速度未満である場合には１ステップ当たりの入力データの変化量を例えば５（分）とし、操作子の回転速度がある回転速度以上である場合には、１ステップ当たりの入力データの変化量を例えば２０（分）とするようにすることも可能である。
【００３４】
［４．３］第３変形例
以上の説明においては、操作子の特定の回転方向（例えば、時計回り方向）を特定の処理に対応づけていたが、第１の回転方向または第１の回転方向とは逆方向の第２の回転方向とその処理内容の対応付けについては任意に設定することが可能である。
【００３５】
［４．４］第４変形例
以上の説明においては、腕時計の場合について説明したが、コンピュータ（ノート型、ＰＤＡ型などを含む）、電話、ラジオ、オーディオ装置などにおいても適用が可能である。
また、腕時計として構成する場合も、腕時計型、ネックレス、指輪などのアクセサリ型のほか、懐中時計など様々な態様が考えられる。
【００３６】
【発明の効果】
本発明によれば、回転ベゼルなどの小型化が可能な操作子の操作状態と表示すべき情報を連動させることが可能となり、ユーザの使い勝手と操作感覚の向上を図ることが可能となる。
【図面の簡単な説明】
【図１】第１実施形態の腕時計の外観正面図である。
【図２】第１実施形態の腕時計の部分断面図である。
【図３】腕時計の概要構成ブロック図である。
【図４】センサユニットの取り付け状態説明図である。
【図５】光学パターンの説明図である。
【図６】センサユニットの検出信号の説明図である。
【図７】第１実施形態の腕時計の概要動作フローチャートである。
【図８】時刻修正モード時の処理フローチャートである。
【図９】時刻修正モード時の表示態様の変化の説明図である。
【図１０】タイマモード時の処理フローチャートである。
【図１１】タイマモード時の表示態様の変化の説明図である。
【図１２】アラーム音量調整モード時の処理フローチャートである。
【図１３】アラーム音量調整モード時の表示態様の変化の説明図である。
【図１４】第２実施形態の腕時計の部分断面図である。
【図１５】第３実施形態の腕時計の部分断面図である。
【符号の説明】
１０…腕時計１０、１１…ケース、１１Ａ…ケース本体、１１Ｂ…、１１Ｃ…、１１Ｄ…、１２…表示パネル、１３、１３Ａ、１３Ｂ…回転ベゼル、１４…バンド、３１…発振回路、３２…分周回路、３３…時計用カウンタ、３４…ＭＰＵ、３５…ＲＯＭ、３６…ＲＡＭ、３７Ａ、３７Ｂ…センサユニット、３８…波形整形回路、３９…回転情報生成ユニット。
【図１】
2005016962.tif 000003
【図２】
2005016962.tif 000004
【図３】
2005016962.tif 000005
【図４】
2005016962.tif 000006
【図５】
2005016962.tif 000007
【図６】
2005016962.tif 000008
【図７】
2005016962.tif 000009
【図８】
2005016962.tif 000010
【図９】
2005016962.tif 000011
【図１０】
2005016962.tif 000012
【図１１】
2005016962.tif 000013
【図１２】
2005016962.tif 000014
【図１３】
2005016962.tif 000015
【図１４】
2005016962.tif 000016
【図１５】
2005016962.tif 000017